(57)【要約】      （修正有）【課題】着座者や通行人に邪魔と感じさせることなく、椅子に荷物を掛けることが可能なフックを設ける。【解決手段】椅子の構成要素である肘掛け８９に外方に開放状態で窓部９９を設け、さらにこの窓部９９の開口縁に平面視において肘掛け８９の外縁からはみ出さない状態で設けられたフック１０１を具備する構成を採用する。【選択図】図１４
2011045571.tif 000002
【特許請求の範囲】
【請求項１】
座、背凭れ、肘掛けなどの構成要素に外方に開放状態で設けられた窓部と、この窓部の開口縁に平面視において当該構成要素の外縁からはみ出さない状態で設けられたフックとを具備してなることを特徴となる椅子。
【請求項２】
前記フックが、前記開口縁の下辺部分を変形させることにより形成されたものである請求項１記載の椅子。
【請求項３】
前記構成要素が、肘フレームを有する肘掛け本体と、この肘掛け本体の肘当て受け部上に設けられた肘当てパットとを具備してなる肘掛けであり、前記肘フレームに前記窓部が形成されている請求項１または２記載の椅子。
【請求項４】
前記肘フレームが、その上面に前後対をなす取付部を有する下枠部と、この下枠部の取付部に前後両端部を取り付けてなる上枠部とを備え、これら下枠部と上枠部とがループ形状を形成し、さらにこれら下枠部と上枠部とで前記窓部が形成されている請求項３記載の椅子。
【請求項５】
前記フックが、前記肘フレームの窓部に一体に形成されたものである請求項３または４記載の椅子。
【請求項６】
前記肘掛けが、背凭れから前方に延設されたものである請求項３、４または５記載の椅子。
【発明の詳細な説明】
【技術分野】
【０００１】
本発明は、オフィス等で好適に使用可能な椅子に関する。
【背景技術】
【０００２】
近年、勤務者個々人の自席を固定せず、誰でも自由に利用できるデスク及び椅子を配してなるとともに、勤務者が個人用のロッカー等から必要書類やパーソナルコンピュータ等の荷物を持参して、空いている席に着いて仕事をするフリーアドレスオフィスが採用されてきている。
【０００３】
このようなフリーアドレスオフィスにおいては、勤務者個々人の自席が固定されていない。そのため、勤務中に比較的頻繁に使用する物品については、椅子の近辺に収納しておき、必要に応じて取り出す態様が考えられている。
【０００４】
ここで、荷物を椅子の近辺に収納する態様の一例として、椅子にフックを設け、このフックに荷物を掛けておく態様が考えられている。ここで、椅子に設けるフックの態様として、例えば、フック本体と、このフック本体を椅子に取り付けるための取付部とを有するものが知られている（例えば、特許文献１を参照）。
【０００５】
しかして、特許文献１記載のもののようなフックのフック本体は、前記ケースから下方に延伸する取付部と、この取付部の下端から椅子に対して離間する方向に延びるとともに荷物を支持する支持部と、この支持部の先端から上方に延伸する抜け止め部を有するＪ字状のものであるが、このようなフック本体を有するフックを椅子に取り付けた場合、このフックに荷物を掛けない場合はフック本体の支持部及び抜け止め部が外部に向けて露出しているので、見栄えが損なわれると感じられることがある。また、場合によっては、外部に露出したフック本体に着座者の手が当たることや、このようなフックを取り付けた椅子の周辺を通行する通行人にフックが引っかかることもあり、フックが邪魔なものと感じられるという不具合も存在する。
【先行技術文献】
【特許文献】
【０００６】
【特許文献１】特開２００７−３０３６６６号公報
【発明の概要】
【発明が解決しようとする課題】
【０００７】
本発明は以上の点に着目し、このような課題を解決すること、すなわち、着座者や通行人に邪魔と感じさせることなく、椅子に荷物を掛けることが可能なフックを設けることを目的とする。
【課題を解決するための手段】
【０００８】
すなわち本発明に係る椅子は、座、背凭れ、肘掛けなどの構成要素に外方に開放状態で設けられた窓部と、この窓部の開口縁に平面視において当該構成要素の外縁からはみ出さない状態で設けられたフックとを具備してなることを特徴となる。
【０００９】
このようなものであれば、構成要素の窓部内に平面視において当該構成要素の外縁からはみ出さない状態でフックを設けているので、このような椅子のフックに荷物を掛けることを可能にしつつ、フックに着座者の手が当たる不具合や、このような椅子の周辺を通行する通行人にフックが引っかかる不具合の発生を防止又は抑制できる。
【００１０】
このようなフックを容易に形成するための態様として、前記フックが、前記開口縁の下辺部分を変形させることにより形成されたものが挙げられる。
【００１１】
このような椅子を実現することができる好適な態様として、前記構成要素が、肘フレームを有する肘掛け本体と、この肘掛け本体の肘当て受け部上に設けられた肘当てパットとを具備してなる肘掛けであり、前記肘フレームに前記窓部が形成されているものが挙げられる。
【００１２】
このような椅子の肘当てを容易に形成するための態様の一例として、前記肘フレームが、その上面に前後対をなす取付部を有する下枠部と、この下枠部の取付部に前後両端部を取り付けてなる上枠部とを備え、これら下枠部と上枠部とがループ形状を形成し、さらにこれら下枠部と上枠部とで前記窓部が形成されているものが挙げられる。
【００１３】
また、前記フックが、前記肘フレームの窓部に一体に形成されたものであれば、少ない部品点数でこのようなフックを設けることができるとともに、このようなフックを形成するための工数も節減することができる。
【００１４】
そして、このようなフックに掛けた荷物が邪魔にならないようにするためには、前記肘掛けが、背凭れから前方に延設されたものであることが望ましい。このようなものであれば、肘掛けの下方にこの肘掛けを支持するための支柱を必要としないため、フックに掛けた荷物と前記支柱とが干渉して荷物が着座者側に寄ることがないからである。
【発明の効果】
【００１５】
本発明の椅子の構成によれば、椅子に荷物を掛けることが可能なフックを、座、背凭れ、肘掛けなどの構成要素に設けられた窓部の開口縁に平面視において当該構成要素の外縁からはみ出さない状態で設けているので、フックに着座者の手が当たる不具合やこのような椅子の周辺を通行する通行人にフックが引っかかる不具合、すなわちフックの非使用時に着座者や通行人にフックが邪魔と感じられる不具合の発生を防止又は抑制できる。
【図面の簡単な説明】
【００１６】
【図１】本発明の一実施形態を示す全体斜視図。
【図２】同実施形態の前面側を一部省略して示す斜視図。
【図３】同実施形態の前面側を一部省略して示す分解斜視図。
【図４】同実施形態の背面側を一部省略して示す斜視図。
【図５】同実施形態の背面側を一部省略して示す分解斜視図。
【図６】同実施形態を張地の片半部及び脚体を省略して示す正面図。
【図７】同実施形態を張地の片半部及び脚体を省略して示す平面図。
【図８】同実施形態を一部省略して示す右側面図。
【図９】図７におけるＡ−Ａ線端面図。
【図１０】図７におけるＢ−Ｂ線端面図。
【図１１】同実施形態の張地の張設前状態を示した背面図。
【図１２】図１１におけるＣ−Ｃ線拡大端面図。
【図１３】図１１におけるＤ−Ｄ線拡大端面図。
【図１４】図８におけるＥ−Ｅ線拡大端面図。
【図１５】本発明の他の実施形態の背凭れの上部を張地を省略して示す正面図。
【図１６】図１５におけるＦ−Ｆ線拡大端面図。
【図１７】本発明の他の実施形態の図１４に対応する部位を示す端面図。
【発明を実施するための形態】
【００１７】
以下、本発明を事務用回転椅子に適用した場合の一実施形態について図１ないし図１４を参照して説明する。
【００１８】
この椅子は、図１に示すように、構成要素として、脚体１と、この脚体１により回転可能に支持された支持基部３と、この支持基部３に支持された座５及び背凭れ７と、この背凭れ７に支持された肘掛け８９とを具備してなる。
【００１９】
脚体１は、図１に示すように、キャスタ９を有した脚羽根タイプの脚ベース１１と、この脚ベース１１の中心部に立設した脚支柱１３とを具備してなる。前記脚支柱１３は、ガススプリングを主体に構成された通常のもので、この脚支柱１３の上端部に前記支持基部３が取り付けられている。
【００２０】
支持基部３は、図３ないし図８に示すように、後方に向かって漸次幅狭となる平面視ほぼ三角形状をなすものであり、前記脚支柱１３の上端部に取り付けられる底壁３ａと、この底壁３ａの周縁に設けられた周壁３ｂと、この周壁３ｂの上端に蓋着された天壁３ｃとを具備してなる。この支持基部３には、前記脚体１のガススプリングを制御するための操作レバー３ｄが設けられている。
【００２１】
座５は、図１、図３、図６ないし図８に示すように、左右対をなす座フレーム１５と、これら両座フレーム１５間に張設された可撓性のある座張地１７と、この座張地１７との間に空間１９を形成しつつ前記両座フレーム１５の前端部１５ｂ間に介設されその介設状態で前記座張地１７に張力を付与する前横梁２１とを具備してなる。
【００２２】
背凭れ７は、図１、図３、図６ないし図８に示すように、左右対をなす背フレーム２３と、これら両背フレーム２３間に張設された可撓性のある背張地２５と、この背張地２５との間に空間２７を形成しつつ前記両背フレーム２３の上部２３ａ間に介設されその介設状態で前記背張地２５に張力を付与する上横梁２９と、前記背張地２５との間に空間３１を形成しつつ前記両背フレーム２３の下部２３ｂ間に介設されその介設状態で前記背張地２５に張力を付与する下横梁３３とを具備してなる。
【００２３】
前記座フレーム１５と前記背フレーム２３とは、図１ないし図８に示すように、連続したものであり（連続した座フレーム１５と背フレーム２３とを「フレームＦ」と総称する場合がある）、前記座５と背凭れ７とが一体となるように構成されている。すなわち、左の座フレーム１５と左の背フレーム２３、及び右の座フレーム１５と右の背フレーム２３とはそれぞれ一本の連続した金属素材を一体に成形することにより一体に構成されている。
【００２４】
前記左のフレームＦ及び右のフレームＦの各外側面Ｆａには、図８ないし図１０に示すように、前記座張地１７及び前記背張地２５を取り付けるための取付溝３５が形成されている。これらの取付溝３５は、前記各フレームＦの裏面Ｆｂよりも表面Ｆｃに近い位置に配されている。ここで、裏面Ｆｂとは、座フレーム１５の場合には下面を意味し、背フレーム２３の場合には背面を意味する。また、表面Ｆｃとは、座フレーム１５の場合には上面を意味し、背フレーム２３の場合には前面を意味する。
【００２５】
前記座張地１７及び前記背張地２５（以下、「張地Ｍ」と総称する場合がある）は、図１、図３、図６ないし図８、及び図１１ないし図１３に示すように、合成樹脂製の糸を織成または編成してなるメッシュ状の張地素材を所定形状に裁断することにより一体に構成されており、着座面である表面Ｍａ側から裏面Ｍｂ側に存在するものを視認することができるような透光性を備えている。
【００２６】
この張地Ｍの左右両縁部Ｍｃには、図１１及び図１３に示すように、帯状をなす剛性のある押し込み材３７が設けられている。この押し込み材３７は、前記張地Ｍの縁部Ｍｃに沿って連続して設けられたものであり、前記張地Ｍの縁部Ｍｃの一面側、すなわち裏面Ｍｂ側に縫製等により添着されている。また、この押し込み材３７は、合成樹脂等により作られたもので、前記取付溝３５に挿入可能な厚み寸法Ｔ１を有するとともに、前記取付溝３５の奥行き方向の開口寸法Ｔ１よりも大きな幅寸法Ｗ１を有したものである。
【００２７】
そして、図１３に示すように、この張地Ｍの各縁部Ｍｃを前記押し込み材３７とともに前記フレームＦの外面Ｆａ側に設けられた取付溝３５に反転させて挿入することにより、当該張地Ｍを左右のフレームＦ間に張設している。この状態で、左右のフレームＦ間に前横梁２１、上横梁２９及び下横梁３３を介在させることによって前記張地Ｍに張力が付与される。このようにして張力を付与された張地Ｍは、左右のフレームＦの形状に沿った形態となる。すなわち、左右の背フレーム２３は、下端の近傍に着座者の腰形状に対応して前方に突出する突出部２３ｃを有したものであり、前記背張地２５が下横梁３３により張力を付与されることにより前記突出部２３ｃに対応した突出形状をなすように張設されている。
【００２８】
また、前記張地Ｍの左右のフレームＦに支持されていない縁部Ｍｄ、Ｍｅは、図３、図１１及び図１２に示すように、袋状のものであり、その縁部Ｍｄ、Ｍｅ内に透明な芯材３９が内蔵されている。具体的には、前記座５の前縁に位置する張地Ｍ（座張地１７）の縁部Ｍｄ及び前記背凭れ７の上縁に位置する張地Ｍ（背張地２５）の縁部Ｍｅに芯材３９がそれぞれ設けられている。これらの芯材３９は、それぞれ透明なシート材を一定長さの帯状に裁断してなるもので、これら各芯材３９の両端部３９ａと前記押し込み材３７との間には芯材３９が存在しない可撓変形部４１を形成してなる。
【００２９】
前記前横梁２１は、図３ないし図６に示すように、中間に略平坦な平坦部２１ａを有した正面視Ｕ字形をなしており、その左右両端部２１ｂに左右の座フレーム１５の内側面１５ａにそれぞれ直接的に密接する対をなす取付壁４５を備えている。そして、これら各取付壁４５をそれぞれ複数の止着具たるボルト４７を用いて対応する座フレーム１５に止着している。具体的には、この取付壁４５に貫通させた２本のボルト４７を前記座フレーム１５に埋設したナット４９に締着することにより、この取付壁４５を前記座フレーム１５に固定している。なお、前横梁２１の両端部２１ｂには、前記各取付壁４５と協働して座フレーム１５を挟持する外装壁５１をそれぞれ備えている。前記取付壁４５は、前記座フレーム１５に沿って延びる形状をなしており、前記取付壁４５と前記外装壁５１とによって構成される嵌合部５３が、座フレーム１５に沿って延びる前後に長い形態をなしている。しかして、前記取付壁４５は、その厚み寸法Ｔ２よりも座フレーム１５に沿う方向の長手寸法Ｌ２が大きくなるように設定されている。
【００３０】
前記上横梁２９は、図２ないし図７及び図１０に示すように、その中央部２９ａが後方に突出するように湾曲したものであり、その左右両端部２９ｂに左右の背フレーム２３の内側面２３ｄにそれぞれ直接的に密接する対をなす取付壁５５を備えている。そして、これら各取付壁５５をそれぞれ複数の止着具たるボルト５７を用いて対応する背フレーム２３に止着している。具体的には、この取付壁５５に貫通させた２本のボルト５７を前記背フレーム２３に埋設したナット５９に締着することにより、この取付壁５５を前記背フレーム２３に固定している。なお、上横梁２９の両端部２９ｂには、前記各取付壁５５と協働して背フレーム２３を挟持する外装壁６１をそれぞれ備えている。前記取付壁５５は、前記背フレーム２３に沿って延びる形状をなしており、前記取付壁５５と前記外装壁６１とによって構成される嵌合部６３が、背フレーム２３に沿って延びる上下に長い形態をなしている。しかして、前記取付壁５５は、その厚み寸法Ｔ３よりも背フレーム２３に沿う方向の長手寸法Ｌ３が大きくなるように設定されている。
【００３１】
前記下横梁３３は、図２ないし図７及び図９に示すように、着座者の腰形状に対応して前方に突出する背フレーム２３の突出部２３ｃの近傍同士を結合するものであって、その左右方向の中央部３３ａが後方に突出するように湾曲しており、その左右両端部３３ｂに左右の背フレーム２３の内側面２３ｄにそれぞれ直接的に密接する対をなす取付壁６５を備えている。そして、これら各取付壁６５をそれぞれ複数の止着具たるボルト６７を用いて対応する背フレーム２３に止着している。具体的には、この取付壁６５に貫通させた２本のボルト６７を前記背フレーム２３に埋設したナット６９に締着することにより、この取付壁６５を前記背フレーム２３に固定している。なお、下横梁３３の両端部３３ｂには、前記各取付壁６５と協働して背フレーム２３を挟持する外装壁７１をそれぞれ備えている。前記取付壁６５は、前記背フレーム２３に沿って延びる形状をなしており、前記取付壁６５と前記外装壁７１とによって構成される嵌合部７３が、背フレーム２３に沿って延びる上下に長い形態をなしている。しかして、前記取付壁６５は、その厚み寸法Ｔ４よりも背フレーム２３に沿う方向の長手寸法Ｌ４が大きくなるように設定されている。
【００３２】
このようにしてなる本実施形態にかかる椅子は、図２及び図８に示すように、座５と背凭れ７とが一体に構成されており、これら座５及び背凭れ７が前記支持基部３に一体に設けられた前横梁２１によって片持ち支持されている。そして、この支持基部３と前記座５との間に荷物載置面７５が設けられ、その荷物載置面７５と前記座５の裏面５ａとの間に荷物Ｂ１を出し入れ自在に収容するための荷物収容空間７７が形成されている。
【００３３】
前記荷物載置面７５は、図２及び図３に示すように、平面視においてその外縁７５ａの一部が前記支持基部３の外縁３ｅよりも外側に位置する延出部７９を備えており、その延出部７９に埃排除手段８１が設けられている。すなわち、この実施形態における荷物載置面７５は、前横梁２１の平坦部２１ａの上面２１ｃと支持基部３の上に着脱可能に装着された棚板８３の上面８３ａにより形成されている。換言すれば、前記支持基部３の上面３ｆを覆い隠すようにして前記棚板８３が設けられており、その棚板８３に前記荷物載置面７５の主要部、すなわち荷物載置面７５の一部が形成されている。
【００３４】
前記棚板８３は、図２ないし図８に示すように、その上面８３ａで荷物Ｂ１を装脱可能に支持するための荷物載置面７５の一部を形成する棚板本体８５と、この棚板本体８５の下面に設けられ前記支持基部３に着脱可能に外嵌される外嵌壁体８７とを備えている。
【００３５】
前記棚板本体８５は、前記支持基部３の上面３ｆに載置されるものであって、平面視において支持基部３よりも大きな面積を有しており、前記支持基部３よりも外側に位置する部位に前記埃排除手段８１を構成する複数の貫通孔８２が設けられている。この棚板本体８５は、平面視においてＡ４版サイズよりも大きな面積を有したもので、その左右両側縁部８５ａに荷物Ｂ１の落下を防止するための湾曲部８５ｂを備えている。この棚板本体８５は、その中央部を前記脚支柱１３の軸心である支持基部３の回転中心Ｏにほぼ一致させて配設されており、前記荷物載置面７５が前記支持基部３の回転中心Ｏを含む位置に形成されるようにしている。
【００３６】
前記外嵌壁体８７は、前記支持基部３の外周面３ｇに重なり合う包持部８７ａと、前記支持基部３の底面周縁部分３ｈに重なり合う抜止部８７ｂとを備えてなるもので、前記支持基部３に後方から装脱し得るようにその前面が開放されている。また、前記外嵌壁体８７は、前記包持部８７ａの外面を前記棚板本体８５の下面に接続するためのリブ８７ｃを備えている。
【００３７】
また、この実施形態にかかる椅子は、図１に示すように、肘掛け８９を有している。この肘掛け８９は、図３ないし図５、図８、図１４に示すように、前記下横梁３３の外装壁７１と一体に連続形成されたものであり、前記下横梁３３の外面３３ｃと前記肘掛け８９の外面８９ａとが滑らかに一体化されている。この肘掛け８９は、前記背凭れ７から前方に延出させて設けられたものであり、前記背凭れ７に支持された肘掛け本体９１と、この肘掛け本体９１上に設けられた肘当てパット９３とを具備してなる。
【００３８】
前記肘掛け本体９１は、前記下横梁３３に一体に設けられた肘支柱９５と、この肘支柱９５の先端部に設けられた肘フレーム９７とからなり、この肘フレーム９７上に前記肘当てパット９３を装着している。具体的には、前記肘フレーム９７が、その上面に前後対をなす取付部９７ａを有した硬質の下枠部９７ｂと、この下枠部９７ｂの取付部９７ａに前後両端部を取付けた硬質の上枠部９７ｃとからなるもので、この下枠部９７ｂと上枠部９７ｃとで剛性を有したループ形状を形成している。換言すれば、この下枠部９７ｂと前記上枠部９７ｃとで窓部９９が形成される。そして、上枠部９７ｃの上に軟質の肘当てパット９３を設けている。そして、この窓部９９の開口縁９９ａに平面視において肘当てパット９３の外縁９３ａからはみ出さない状態でかばんその他の荷物Ｂ２を掛けるためのフック１０１を設けている。すなわち、このフック１０１は、前記肘フレーム９７の窓部９９に一体に形成されている。換言すれば、このフック１０１は、前記窓部９９の開口縁９９ａの下辺部分９９ｂを変形させることにより形成されたものである。そして、このフック１０１は、前記窓部９９の開口縁９９ａの下辺部分９９ｂから上方に突出しているとともに、前記下辺部分９９ｂと滑らかに接続している。なお、このフック１０１に荷物Ｂ２を掛ける際には、図１４に示すように、このフック１０１の内側面１０１ａ側に荷物Ｂ２の把手Ｂ２ａ等の紐状をなす紐状部分を引っ掛け、荷物Ｂ２の他の部分をこの把手Ｂ２ａ等の紐状部分により吊り下げる態様で支持させる。
【００３９】
また、この実施形態にかかる椅子は、図２ないし図６に示すように、衣類を掛けるためのハンガー１０３を備えている。このハンガー１０３は、前記上横梁２９の下辺２９ｃに懸吊姿勢で一体的に設けられたものであり、衣類を掛けるためのハンガー本体１０５と、このハンガー本体１０５を前記上横梁２９との間に隙間１０７を維持した状態で前記上横梁２９に懸吊支持させる懸吊部材１０９とを具備してなる。
【００４０】
以上に述べたように、本実施形態に係る椅子の構成によれば、肘掛け８９の肘フレーム９７に形成した窓部９９の開口縁９９ａに、平面視においてこの肘掛け８９の外縁、より具体的には肘当てパット９３の外縁９３ａからはみ出さない状態でかばんその他の荷物Ｂ２を掛けるためのフック１０１を設けているので、フック１０１に着座者の手が当たる不具合や、このような椅子の周辺を通行する通行人にフック１０１が引っかかる不具合の発生を防止又は抑制しつつ、このフック１０１に荷物Ｂ２を掛けることを可能にする構成を実現できる。
【００４１】
また、このフック１０１を、前記肘フレーム９７の窓部９９に一体に形成している、換言すれば、前記窓部９９の開口縁９９ａの下辺部分９９ｂを変形させることにより形成しているので、特別な部品を用意することなくこのようなフック１０１を容易に形成できる。すなわち、少ない部品点数及び組立工数によりこのようなフック１０１を形成できる。
【００４２】
さらに、前記肘フレーム９７が、その上面に前後対をなす取付部９７ａを有する下枠部９７ｂと、この下枠部９７ｂの取付部９７ａに前後両端部を取り付けてなる上枠部９７ｃとを備え、これら下枠部９７ｂと上枠部９７ｃとがループ形状を形成し、さらにこれら下枠部９７ｂと上枠部９７ｃとで前記窓部９９を形成しているので、これら下枠部９７ｂと上枠部９７ｃとを結合することにより容易に前記窓部９９を形成できる。
【００４３】
そして、前記肘掛け８９が、背凭れ７から前方に延設されたものであり、この肘掛け８９を支持するための肘支柱９５は肘掛け８９の下方でなく後方に位置するので、フック１０１に掛けた荷物Ｂ２と前記肘支柱９５とが干渉して荷物Ｂ２が着座者側に寄り、このようなフック１０１に掛けた荷物Ｂ２が邪魔になることを防止又は抑制できる。
【００４４】
加えて、左右の肘掛け８９は、腰部背面に位置する下横梁３３と合わせて一体に成形されており、さらに下横梁３３部分において左右の背フレーム２３をつなぐように、左右の背フレーム２３とそれぞれ縦方向の長手寸法Ｌ４をもって固定されているため、取付強度が高く、使用中に肘掛け８９に荷重がかかってもぐらつくことがない。また、肘掛け無しタイプの椅子との互換性についても、製品の組み立て段階で、肘掛け無しタイプまたは肘掛け付きタイプの下横梁３３を必要に応じて選択して取り付けるだけなので、製品の作り分けが容易である。
【００４５】
なお、本発明は以上に述べた実施形態に限らない。
【００４６】
例えば、肘掛けに限らず、例えば、図１５及び図１６に示すように、上述した実施態様における背凭れ７の上横梁２９の下方に、ハンガー１０３に替えて、左右両端に前記上横梁２９に接続させてなる取付部１１１ａを有するフック部材１１１を設け、このフック部材１１１と前記上横梁２７との間の空間を本発明の窓部１１３とするとともに、この窓部１１３の開口縁１１３ａに、平面視において背凭れ７の外縁７ａからはみ出さない状態でフック１１５を設ける態様が考えられる。
【００４７】
また、上述した実施態様における座フレームの下方に、前後両端部に位置し前記座フレームに接続してなる接続部と、それら接続部間に形成された窓部形成用の凹陥部とを有するとともに、この凹陥部の開口縁から上方に突出してなるフックを有するフック部材を取り付け、前記フックが平面視において座の外縁からはみ出さない状態にする態様も考えられる。
【００４８】
これらの態様であっても、フックが平面視において背凭れ又は座の外縁からはみ出さないので、本発明の最も主要な効果、すなわち、フックに着座者の手が当たる不具合や、このような椅子の周辺を通行する通行人にフックが引っかかる不具合の発生を防止又は抑制しつつ、このフックに荷物を掛けることを可能にする構成を実現できるという効果は得られる。
【００４９】
また、本発明のフックは、開口縁の下辺部分を変形させて設けたものに限らない。例えば、図１７に示すように、肘掛け８９に設けた窓部９９の開口縁９９ａの上辺、すなわち肘フレーム９７の上枠部９７ｃの下面から垂下する垂下部１１７ａと、この垂下部１１７ａから椅子の幅方向中央に向け突出する爪部１１７ｂとを有するフック１１７を設けるようにしてもよい。この場合、図１７に示すように、前記爪部１１７ｂの突出端からさらに上方に突出させて抜け止め部１１７ｃを設けてもよい。また、このようなフックは、肘掛け以外の部位に設けてももちろんよい。
【００５０】
加えて、肘掛けに窓部及びフックを設ける場合であっても、肘掛け本体と肘当て本体との接続態様は上述した実施形態に示したものに限らない。例えば、上面に左右に対をなす取付部と、それら取付部間に形成された窓部形成用の凹陥部とを有する肘当て受け部を肘掛け本体に備え、この肘当て受け部に肘当ての左右端部を取り付ける態様が考えられる。また、肘当て受け部の上面が略平面状であり、この肘当て受け部の上面の略全体で肘当てを支持する一方、この肘当て受け部の下方に、前後又は左右に対をなす取付部と、それら取付部間に形成された窓部形成用の凹陥部とを有するフック部材を取り付けて前記肘当て受け部の下面とフック部材の上面との間に窓部を形成するようにし、この窓部の開口縁、例えば前記フック部材の凹陥部の上面にフックを設けるようにしてもよい。
【００５１】
また、前記フックを肘当て本体の凹陥部の縁に一体に形成する代わりに、例えば、保持当て本体に形成した窓部の開口縁にフックを着脱可能に設けるようにしてもよい。このようなものであれば、フックが不必要な場合にはフックを取り外しておくことができる。
【００５２】
また、肘当てを背凭れから前方に延設する代わりに、座又は支持基部から上方に延設するようにしてもよい。
【００５３】
その他、本発明の趣旨を損ねない範囲で種々に変形してよい。
【符号の説明】
【００５４】
１…脚体
３…支持基部
５…座
７…背凭れ
【図１】
2011045571.tif 000003
【図２】
2011045571.tif 000004
【図３】
2011045571.tif 000005
【図４】
2011045571.tif 000006
【図５】
2011045571.tif 000007
【図６】
2011045571.tif 000008
【図７】
2011045571.tif 000009
【図８】
2011045571.tif 000010
【図９】
2011045571.tif 000011
【図１０】
2011045571.tif 000012
【図１１】
2011045571.tif 000013
【図１２】
2011045571.tif 000014
【図１３】
2011045571.tif 000015
【図１４】
2011045571.tif 000016
【図１５】
2011045571.tif 000017
【図１６】
2011045571.tif 000018
【図１７】
2011045571.tif 000019